(57)【要約】【課題】使い勝手の良好な扉のメンテナンス通知方法、扉のメンテナンス通知装置、およびメンテナンス通知装置を備えた建具の提供を目的とする。【解決手段】扉のメンテナンス時期を通知する扉のメンテナンス通知方法であって、  メンテナンス要否判定要素として予め選択したメンテナンス要否判定情報が所定の閾値に達した際にメンテナンス要求状態に遷移するとともに、  メンテナンス要求状態下において扉１に対する予め定められた操作を検出する扉操作検出情報が取得された際に、扉操作検出情報の取得毎に、扉操作検出情報が予め定められた回数に達するまでメンテナンス必要信号を出力する。【選択図】  図３
2013060784.tif 000002
【特許請求の範囲】
【請求項１】
扉のメンテナンス時期を通知する扉のメンテナンス通知方法であって、
メンテナンス要否判定要素として予め選択したメンテナンス要否判定情報が所定の閾値に達した際にメンテナンス要求状態に遷移するとともに、
メンテナンス要求状態下において扉に対する予め定められた操作を検出する扉操作検出情報が取得された際に、扉操作検出情報の取得毎に、扉操作検出情報が予め定められた回数に達するまでメンテナンス必要信号を出力する扉のメンテナンス通知方法。
【請求項２】
前記メンテナンス要否判定情報として扉設置経過時間と扉開閉回数とが選択され、
いずれかが所定の閾値に達した際にメンテナンス要求状態に遷移する請求項１記載の扉のメンテナンス通知方法。
【請求項３】
前記メンテナンス必要信号の出力がメンテナンス要求状態への遷移後の経過時間により停止される請求項１または２記載の扉のメンテナンス通知方法。
【請求項４】
扉のメンテナンス時期を通知する扉のメンテナンス通知装置であって、
メンテナンス要否判定要素として予め選択したメンテナンス要否判定情報が所定の閾値に達した際にセットされるメンテナンス通知フラグと、
扉に対する予め定められた操作を検出した際に操作信号を出力する扉開閉検知部と、
メンテナンス通知フラグのセット状態において前記操作信号の出力回数をカウントする扉開閉カウンタと、
扉開閉カウンタが所定回数に達するまで操作信号の出力時に適宜のメンテナンス信号出力手段に対して信号出力指示を出力する通知制御部と、
を有する扉のメンテナンス通知装置。
【請求項５】
扉に固定され、適宜のアクチュエータにより施錠体を駆動する電気錠と、
扉の開閉操作を行う操作ハンドルとを有し、
前記メンテナンス通知装置が電気錠に組み込まれるとともに、
メンテナンス信号出力手段が操作ハンドルに組み込まれた請求項１から４のいずれかに記載のメンテナンス通知装置。
【請求項６】
請求項４または５記載のメンテナンス通知装置を備えた建具。
【請求項７】
請求項４記載のメンテナンス通知装置を錠ケース内に格納した電気錠。
【発明の詳細な説明】
【技術分野】
【０００１】
本発明は、扉のメンテナンス通知方法、扉のメンテナンス通知装置、およびメンテナンス通知装置を備えた建具に関するものである。
【背景技術】
【０００２】
扉のメンテナンス装置としては特許文献１に記載のものが知られている。この従来例において、メンテナンス装置は、扉の開閉回数をカウントする計数部と、表示部とを有し、計数部での計測される開閉回数に応じて表示部の表示を変えることにより、メンテナンスの必要性を利用者、あるいは管理者に通知する。
【先行技術文献】
【特許文献】
【０００３】
【特許文献１】特開２０１０-９０５４０号公報
【発明の概要】
【発明が解決しようとする課題】
【０００４】
しかし、上述した従来例において、扉の開閉回数が所定数に達すると、表示の終了手段を持たないために、表示部での表示が常時、永続的に行われるために、鬱陶しいという欠点があり、これを防止するためには、特別の終了手段を設けて表示を停止させなければならず、使い勝手が悪いという欠点がある。
【０００５】
本発明は、以上の欠点を解消すべくなされたものであって、使い勝手の良好な扉のメンテナンス通知方法の提供を目的とする。また、本発明の他の目的は、上記方法により作動するメンテナンス通知装置、およびこれを内蔵した電気錠、さらには、上記メンテナンス通知装置を装備した建具の提供にある。
【課題を解決するための手段】
【０００６】
本発明によれば上記目的は、
扉のメンテナンス時期を通知する扉のメンテナンス通知方法であって、
メンテナンス要否判定要素として予め選択したメンテナンス要否判定情報が所定の閾値に達した際にメンテナンス要求状態に遷移するとともに、
メンテナンス要求状態下において扉１に対する予め定められた操作を検出する扉操作検出情報が取得された際に、扉操作検出情報の取得毎に、扉操作検出情報が予め定められた回数に達するまでメンテナンス必要信号を出力する扉のメンテナンス通知方法を提供することにより達成される。
【０００７】
本発明において、メンテナンス要否判定情報が所定の閾値に達すると、メンテナンス要求状態に遷移し、以後、扉１に対する操作が検出される毎にメンテナンス必要信号が出力される。従来例のように、メンテナンス必要信号が条件充足により常時出力される場合には、メンテナンス必要信号としてブザーの吹鳴、ランプの点滅等、注意喚起能の高い信号は使用しづらいのに対し、本発明のように、メンテナンス必要信号が扉１に対する操作が行われたタイミングで出力される場合には、種々の信号をメンテナンス必要信号として使用することが可能になる。
【０００８】
また、メンテナンス必要信号は、扉操作検出情報が予め定められた回数に達するまで複数回出力されるために、利用者、あるいは管理者がメンテナンス必要信号を見逃すことがなくなるために信頼性が高まり、かつ、周知に必要と考えられる所定回数経過した後に自動的に出力を停止するために、煩わしさがなくなる。
【０００９】
メンテナンス要否判定情報、あるいは扉操作検出情報としては、扉１の開閉回数、あるいは錠付き扉１の場合の施解錠操作回数のように種々の要素を選択できるが、メンテナンス要否判定情報として、扉１の設置経過時間をＯＲ情報として追加することにより、経時的要素をメンテナンス要否判定に加えることができるために、より判定精度を高めることができる。
【００１０】
また、上述した方法の実施には、
扉のメンテナンス時期を通知する扉のメンテナンス通知装置であって、
メンテナンス要否判定要素として予め選択したメンテナンス要否判定情報が所定の閾値に達した際にセットされるメンテナンス通知フラグ２と、
扉１に対する予め定められた操作を検出した際に操作信号を出力する扉開閉検知部３と、
メンテナンス通知フラグ２のセット状態において前記操作信号の出力回数をカウントする扉開閉カウンタ４と、
扉開閉カウンタ４が所定回数に達するまで操作信号の出力時に適宜のメンテナンス信号出力手段５に対して信号出力指示を出力する通知制御部６と、
を有する扉のメンテナンス通知装置が使用可能であり、
扉１に固定され、適宜のアクチュエータ７により施錠体８を駆動する電気錠９と、
扉１の開閉操作を行う操作ハンドル１０とを有し、
前記メンテナンス通知装置が電気錠９に組み込まれるとともに、
メンテナンス信号出力手段５が操作ハンドル１０に組み込まれたメンテナンス通知装置を構成すると、電気錠９と操作ハンドル１０を設置するだけでメンテナンス通知装置の設置作業が完了するために、設置作業性が向上する。
【発明の効果】
【００１１】
本発明によれば、所定条件が充足したときに、扉の開閉のタイミングに合わせてメンテナンス必要信号が出力されるために、利用者による見落としを防止できる上に、所定回数メンテナンス必要信号が出力された後は自動的に信号出力を停止するために、信号出力停止処理を別途必要とせず、使い勝手を良好にすることができる。
【図面の簡単な説明】
【００１２】
【図１】玄関扉を示す図で、（ａ）はインサイドハンドル設置面を示す図、（ｂ）は錠装置の断面図、（ｃ）はアウトサイドハンドル設置面を見た図である。
【図２】ハンドル装置の玄関扉への装着状態を示す図で、（ａ）は屋外側壁面を示す図、（ｂ）は屋内側壁面を示す図である。
【図３】メンテナンス通知装置のブロック図である。
【図４】メンテナンス通知方法のフローチャートである。
【図５】メンテナンス解除操作チェックのフローチャートである。
【図６】扉開閉操作チェックのフローチャートである。
【図７】１０年カウント処理のフローチャートである。
【発明を実施するための形態】
【００１３】
図１、２に玄関扉として構成された本発明の建具１を示す。扉１は、一端が適宜の蝶番装置（図示せず）を介してドア枠１４に連結される扉体１ａと、扉体１ａに固定される電気錠９と、扉体１ａの屋外側壁面に固定されるアウトサイドハンドル（操作ハンドル１０）と、扉体１ａの屋内側壁面に固定されるインサイドハンドル１１とを備える。アウトサイドハンドル１０とインサイドハンドル１１とは、電気錠９を挟んで配置され、アウトサイドハンドル１０を取り付けるために、扉１の屋外側壁面には屋外側上下取付ベース１２Ａ、１２Ｂが固定され、アウトサイドハンドル１０は、下端に突設されるヒンジ突片１０ａを下取付ベース１２Ｂに挿入して装着される。
【００１４】
装着状態において、アウトサイドハンドル１０はヒンジ突片１０ａの先端部周りに回転操作可能であり、アウトサイドハンドル１０を回転操作すると、アウトサイドハンドル１０の回転先端部と上取付ベース１２Ａに連結されたラッチ操作レバー１３が回転する。
【００１５】
電気錠９は、錠ケース内に、ドア枠１４に固定されるストライク１４ａに進退して扉１を施解錠するデッドボルト（施錠体８、８’）と、デッドボルト８、８’を駆動するモータ等のアクチュエータ７を収容して形成され、アウトサイドハンドル１０の回転先端部と回転基端部とに対応して２個使用される。
【００１６】
電気錠９のうち、上方に位置する電気錠９’には、ドア枠１４のストライク１４ａに係止して扉１の閉扉状態を維持するラッチボルト１５が収容される。ラッチボルト１５は、アウトサイドハンドル１０の回転操作に伴うラッチ操作レバー１３の回転によってストライク１４ａとの係止が解除され、あるいはラッチボルト１５が所謂反転ラッチとして構成される場合には、係止解除可能な状態に移行する。
【００１７】
一方、インサイドハンドル１１は屋内側取付ベース１１ａに保持されて回転軸（Ｃ）周りに回転操作可能であり、回転操作に伴って上端部に固定されるラッチ操作レバー１３’が回転して上方の電気錠９’のラッチボルト１５に対する係止解除、あるいは係止解除可能状態への遷移操作が行われる。また、屋内側取付ベース１１ａにはサムターン１１ｂが装着されており、該サムターン１１ｂを手動操作することにより電気錠９’のデッドボルト８’を操作することができる。
【００１８】
さらに、アウトサイドハンドル１０は中空状に形成され、中空部内にハンドル内回路１６が格納される。ハンドル内回路１６への給電、および信号伝達は中空部内に布線されるハンドル内配線１７ａを経由して行われ、ハンドル内配線１７ａは、一旦扉１内に引き出された後、下方の電気錠９内に格納される錠内回路１８に接続される。
【００１９】
錠内回路１８は、商用電源（Ｐ）から給電されて駆動され、扉１内には商用電源（Ｐ）と錠内回路１８とを接続する給電用配線１７ｂが布線される。後述するように、上記ハンドル内回路１６にはアンテナ１９が含まれるとともに、錠内回路１８はアンテナ１９から受信したＩＤ信号を受信する認証部２０を有し、認証部２０において認証が成立すると、錠内回路１８はアクチュエータ７への駆動信号をセットしてアクチュエータ７を駆動し、デッドボルト９を作動させる。
【００２０】
また、錠内回路１８は、扉１内を布線される錠間配線１７ｃを経由して上方の電気錠９’に駆動信号を出力し、該電気錠９’のアクチュエータ７’、およびデッドボルト８’を駆動する。
【００２１】
図３に示すように、錠内回路１８には制御部１８ａにより制御されて動作する認証部２０、錠駆動部１８ｂ、およびメンテナンス通知装置を構成するメンテナンス通知部２１が含まれる。認証部２０は、ハンドル内回路１６に含まれるアンテナ１９と協働してＲＦＩＤリーダ／ライタ回路を構成し、アンテナ１９に利用者が所持するＲＦＩＤタグ（電子キー）を翳すと、電子キーと交信して電子キーのＩＤ情報が読み取られ、認証部２０に出力される。
【００２２】
認証部２０において認証が成立すると、制御部１８ａは錠駆動部１８ｂにアクチュエータ７への駆動信号をセットしてアクチュエータ７、および錠間配線１７ｃに出力し、上下の電気錠９、９’のデッドボルト８、８’が作動する。
【００２３】
また、メンテナンス通知部２１は、扉１のメンテナンス時期を利用者に知らせるためのもので、通知制御部６と、扉開閉検知部３と、計時タイマ２１ａと、メンテナンス情報判別部２２と、状態記憶部２３と、最終状態格納部２４を有し、メンテナンス情報判別部２２には、１０年計時カウンタ判別部２２ａと扉開閉カウンタ判別部２２ｂとが含まれ、状態記憶部２３には、１０年計時カウンタ２３ｂ、扉開閉カウンタ４、メンテナンス通知フラグ２が格納される。さらに、最終状態格納部２４には、扉開閉カウンタ２４ａ、１０年計時カウンタ２４ｂ、およびメンテナンス通知フラグ２４ｃが配置され、状態記憶部２３内の対応するカウンタが変化したときの最終状態が格納される。
【００２４】
上記最終状態格納部２４は、電源が落とされても記憶状態を保持することができるように、ＥＥＰＲＯＭ（ElectricallyErasableProgrammableRead-OnlyMemory）に記憶され、通知制御部６を介することなく所定のリーダにより読み出すことができる。なお、本例において、最終状態格納部２４は錠内回路１８のメンテナンス通知部２１に配置されているが、室内に錠制御装置を設ける場合には、錠制御装置に配置することもできる。
【００２５】
上記扉開閉検知部３は扉１の開閉状態を検知して検出結果（扉操作検出情報）を通知制御部６に出力し、通知制御部６は扉１の開閉が検出される毎に扉開閉カウンタ４をインクリメントする。扉開閉カウンタ４におけるカウント値はメンテナンス情報判別部２２において監視され、扉開閉カウンタ４の値が所定数値（本例では１０万回）に達すると、扉開閉カウンタ判別部２２ｂに条件成立フラグをセットする。扉開閉検知部３はドア枠１４に固定された磁石（図示せず）を検知するホール素子２５により構成することができる。
【００２６】
１０年計時カウンタ２３ｂは、扉１、あるいは電気錠９を設置したタイミングで利用者、あるいは管理者がスタートさせ、以後、設置時からの経過時間を計測する。１０年計時カウンタ２３ｂにおけるカウント値はメンテナンス情報判別部２２において監視されており、カウント値が１０年に達すると、１０年計時カウンタ判別部２２ａに条件成立フラグをセットし、この１０年計時カウンタ判別部２２ａに条件成立フラグがセットされている場合、メンテナンス通知フラグ２がセットされる。本例において、メンテナンス通知フラグ２は、セット状態（フラグ１）、初期リセット状態（フラグ０）に加え、セット状態後のリセット状態（フラグ２）の３値を区別する。
【００２７】
一方、ハンドル内回路１６は、上記アンテナ１９に加え、メンテナンス信号出力手段５を兼用する赤色、および緑色ＬＥＤ２６とブザー２７とを含む。ＬＥＤ２６とブザー２７とは、点灯、発呼タイミング等により動作内容、およびメンテナンス状態を利用者に知らせ、施錠動作通知モード、解錠動作通知モード、メンテナンス通知モード、およびメンテナンス通知解除モードが設定される。
【００２８】
図４以下にメンテナンス通知装置の動作フローを示す。まず、図４に示すように、アンテナ１９に電子キーを翳して認証部２０での認証が成立すると（ステップＳ１００）、電気錠９のアクチュエータ７が駆動されて施解錠が行われ（ステップＳ１０１）、次いで、通知制御部６によるメンテナンス通知フラグ２の出力を取り込みが行われる（ステップＳ１０２）。ステップＳ１０２においてメンテナンス通知フラグ２がセットされている場合、すなわち、メンテナンス通知フラグ２が”状態１”で、メンテナンス要求状態のときにはハンドル内回路１６にメンテナンス通知モードによる表示動作を指示した後（ステップＳ１０３）、メンテナンス解除操作チェックルーチンが実行される（ステップＳ２００）。
【００２９】
これに対し、ステップＳ１０２においてメンテナンス通知フラグ２がセットされていない場合、直接ステップＳ２００が実行され、この後、扉１開閉操作チェックルーチン（ステップＳ３００）、１０年カウント処理ルーチン（ステップＳ４００）が実行される。
【００３０】
メンテナンス解除操作チェックルーチンは、メンテナンス通知状態を強制的に解除するための処理ルーチンであり、強制解除は、扉開状態で所定時間長、認証可能電子キーをアンテナ１９に翳すことにより実行される。
【００３１】
上記操作を確認するために、メンテナンス解除操作チェックルーチンにおいては、図５に示すように、メンテナンス通知フラグ２からメンテナンス通知状態を判別し（ステップ２０１）、メンテナンス通知フラグ２が”状態１”、すなわちセット状態のときに、扉開閉検知部３の出力を検出して扉１の開閉状態を検出する（ステップＳ２０２）。ステップＳ２０２において開扉状態が検出されると計時タイマ２１ａが起動されて電子キーの長翳し操作が判定される（ステップＳ２０３）。ステップＳ２０３において計時タイマ２１ａが設定時間（本例では５秒）経過すると、通知制御部６はハンドル内回路１６にメンテナンス通知モードによる表示動作の中止指令を出し、さらに、メンテナンス通知フラグ２を”状態２”にリセットする（ステップＳ２０４）。
【００３２】
ステップＳ２０４が実行された後、一旦メンテナンス通知がされた履歴を格納するために、メンテナンス通知フラグ２は最終状態格納部２４内のメンテナンス通知フラグ２４ｃに記憶される（ステップＳ２０５）。
【００３３】
ステップＳ２０５が実行された後、通知制御部６はハンドル内回路１６にメンテナンス通知解除モードでの表示を指示し（ステップＳ２０６）、図４のメイン処理に復帰する。
【００３４】
扉開閉操作チェックルーチンは、図６に示すように、まず、メンテナンス通知フラグ２が”状態０”、すなわち、メンテナンス通知前か否かが判定される（ステップＳ３０１）。ステップＳ３０１でメンテナンス通知フラグ２が”状態０”であることが検出されると、扉開閉回数をカウントして扉開閉カウンタ４をインクリメントし（ステップＳ３０２）、次いで、扉開閉カウンタ判別部２２ｂの出力を判定する（ステップＳ３０３）。
【００３５】
また、ステップＳ３０１でメンテナンス通知フラグ２が”状態０”でない場合には、後述するステップＳ３０７が実行される。
【００３６】
扉開閉カウンタ４が１０万回に達し、ステップＳ３０３で扉開閉カウンタ判別部２２ｂに条件成立フラグがセットされていると、メンテナンス通知フラグ２をセットするとともに、ハンドル内回路１６にメンテナンス通知モードによる表示動作を指示し（ステップＳ３０４）、次いで、最終状態格納部２４のメンテナンス通知フラグ２４ｃに”状態１”を書き込む（ステップＳ３０５）。
【００３７】
メンテナンス通知状態への遷移に伴って扉開閉カウンタ４をリセットする（ステップＳ３０６）、次いで、メンテナンス通知フラグ２によりメンテナンス通知中か否かを判定する（ステップＳ３０７）。
【００３８】
ステップＳ３０７でメンテナンス通知フラグ２が”状態１”であることが検出されると、扉開閉検知部３の出力により扉１の開閉を判定する（ステップＳ３０８）。ステップＳ３０８で扉１の開閉が検出されると、扉開閉回数をカウントして扉開閉カウンタ４をインクリメントした後（ステップＳ３０９）、１０年計時カウンタ２３ｂと扉開閉カウンタ４の出力によってメンテナンス通知を開始してからの日数と扉開閉回数が検出され（ステップ３１０）、メンテナンス通知を開始してから１週間が経過し、かつ、扉開閉回数が７０回に達すると、メンテナンス通知解除操作が行われ、ハンドル内回路１６への通知停止命令の発行、およびメンテナンス通知フラグ２の”状態２”へのリセット操作が行われる（ステップＳ３１１）。
【００３９】
ステップＳ３１１が実行された後、最終状態格納部２４のメンテナンス通知フラグ２４ｃに”状態２”のリセット状態を書き込み（ステップＳ３１２）、メイン処理に復帰する。
【００４０】
また、ステップＳ３１０、Ｓ３０８、およびＳ３０７において条件不成立の場合にもメイン処理へ復帰する。
【００４１】
次に、１０年カウント処理のフローチャートを図７に示す。１０年カウント処理は、日数カウンタ２３ａによる１日の経過の判定から開始され（ステップＳ４０１）、１日の経過が判定されると、１０年計時カウンタ２３ｂを１日分インクリメントし（ステップＳ４０２）、メンテナンス通知フラグ２によりメンテナンス通知解除後か否かが判定される（ステップＳ４０３）。
【００４２】
ステップＳ４０３においてメンテナンス通知フラグ２が”状態２”でなく”状態０”、すなわち、メンテナンス通知前の状態である場合（ステップＳ４０４）、１０年計時カウンタ判別部２２ａにより設置後１０年が経過しているか否かが判定される（ステップＳ４０５）。
【００４３】
１０年計時カウンタ判別部２２ａに条件成立フラグがセットされており１０年経過が検出されると、メンテナンス通知が開始され（ステップＳ４０６）、次いで、最終状態格納部２４のメンテナンス通知フラグ２４ｃに”状態１”を書き込んだ後（ステップＳ４０７）、扉開閉カウンタ４がリセットされ（ステップＳ４０８）、さらに、最終状態格納部２４の１０年計時カウンタ２４ｂと扉開閉カウンタ２４ａに対応する状態記憶部２３のカウンタ値を書き込み（ステップＳ４０９）、メイン処理に復帰する。
【００４４】
これに対し、ステップＳ４０４の結果、メンテナンス通知フラグ２が”状態１”、すなわちメンテナンス通知中である場合、１０年計時カウンタ２３ｂからメンテナンス通知後経過時間が１週間以上経過しているか否か、および扉開閉カウンタ４が７０回を計測しているかが判定される（ステップＳ４１４）。
【００４５】
ステップＳ４１４により、メンテナンス通知から１週間以上経過しているか、およびメンテナンス通知後７０回の扉１の開閉が行われたか否かが判定され、双方の条件を充足すると、メンテナンス通知解除処理が行われた後（ステップＳ４１５）、最終状態格納部２４のメンテナンス通知フラグ２４ｃへの書き込みが行われ（ステップＳ４１６）、次いで、ステップＳ４０９が実行される。
【００４６】
また、ステップＳ４１４、Ｓ４０５、およびＳ４０３の条件を充足しなかった場合にもステップＳ４０９が実行され、メイン処理に復帰する。
【符号の説明】
【００４７】
１        扉
２        メンテナンス通知フラグ
３        扉開閉検知部
４        扉開閉カウンタ
５        メンテナンス信号出力手段
６        通知制御部  
７        アクチュエータ
８        施錠体
９        電気錠
１０      操作ハンドル
【図１】
2013060784.tif 000003
【図２】
2013060784.tif 000004
【図３】
2013060784.tif 000005
【図４】
2013060784.tif 000006
【図５】
2013060784.tif 000007
【図６】
2013060784.tif 000008
【図７】
2013060784.tif 000009